(57)【特許請求の範囲】
【請求項１】
映像が表示される映像表示部と、前記映像表示部の外縁部に設けられた枠部とを含む表示部と、
前記映像表示部内において前記外縁部側に設けられた外縁領域と前記枠部とを覆うように設けられ、前記外縁領域から出力される映像を前記枠部側に拡大する光学素子と、
前記映像表示部および前記枠部と前記光学素子との間に設けられ、前記光学素子と前記映像表示部との間に位置する内側面に、前記光学素子側から前記映像表示部側に向かうにしたがって前記枠部側に傾斜する第１傾斜面が設けられたスペーサ部材とを備える、映像表示装置。
【請求項２】
前記第１傾斜面は、前記光学素子のうち前記内側面側の端部と、前記外縁領域のうち前記内側面側の端部とを結ぶ光路に一致するような傾斜角度で傾斜するように設けられている、請求項１に記載の映像表示装置。
【請求項３】
前記第１傾斜面は、前記スペーサ部材の内側面のうち前記光学素子側の端部から前記映像表示部側の端部まで延びるように設けられている、請求項１に記載の映像表示装置。
【請求項４】
前記映像表示部と前記光学素子とは、互いに平行に延びるように設けられており、
前記映像表示部は、長辺および短辺を有する長方形形状に形成されており、
前記スペーサ部材は、前記映像表示部の長辺および短辺に対応するように設けられており、
前記長辺に対応する前記スペーサ部材の前記第１傾斜面の、前記映像表示部および前記光学素子に直交する方向に対する傾斜角度は、前記短辺に対応する前記スペーサ部材の前記第１傾斜面の、前記映像表示部および前記光学素子に直交する方向に対する傾斜角度以下に設定されている、請求項１に記載の映像表示装置。
【請求項５】
前記映像表示部は、第１方向に延びる第１の辺と、前記第１方向に交差する第２方向に延びる第２の辺とを有する矩形状に形成されており、
前記スペーサ部材は、前記第１の辺に対応するように設けられた第１スペーサ部材と、前記第２の辺に対応するように設けられた第２スペーサ部材とに分割可能に構成されている、請求項１に記載の映像表示装置。
【請求項６】
前記第１スペーサ部材は、一対の前記第２スペーサ部材の間で延びるように設けられており、
前記第２スペーサ部材側の前記第１スペーサ部材の端部には、前記第２スペーサ部材の前記第１傾斜面に対応するように傾斜した第２傾斜面が設けられている、請求項５に記載の映像表示装置。
【請求項７】
前記映像表示部に出力される映像と、前記光学素子により拡大されて表示される虚像とが互いに同一面上に位置するように、前記スペーサ部材の厚みが設定されている、請求項１に記載の映像表示装置。
【請求項８】
前記映像表示部および前記光学素子は、互いに平行に延びるように設けられており、
前記光学素子および前記映像表示部に対して直交する方向に対する前記第１傾斜面の傾斜角度は、９度以上に設定されている、請求項１に記載の映像表示装置。
【請求項９】
前記映像表示部は、前記外縁領域に、前記光学素子の拡大率に対応する縮小率で縮小された映像を出力するように構成されている、請求項１に記載の映像表示装置。
【発明の詳細な説明】
【技術分野】
【０００１】
本発明の実施形態は、映像表示装置に関する。
【背景技術】
【０００２】
従来、表示部の外枠に対応するように設けられた光学素子を用いて表示部の映像を拡大することによって、視聴者に外枠が視認されるのを抑制する技術が知られている。このような技術では、表示部（および外枠）と光学素子との間の距離にスペーサ部材が設けられる場合がある。
【先行技術文献】
【特許文献】
【０００３】
【特許文献１】特開２００９−１６２９９９号公報
【発明の概要】
【発明が解決しようとする課題】
【０００４】
上記のような技術では、スペーサ部材が視聴者に視認されるのを抑制することができれば望ましい。
【課題を解決するための手段】
【０００５】
実施形態による映像表示装置は、表示部と、光学素子と、スペーサ部材とを備える。表示部は、映像表示部と、枠部とを含む。映像表示部は、映像が表示されるように構成されている。枠部は、表示部の外縁部に設けられている。光学素子は、映像表示部内において外縁部側に設けられた外縁領域と枠部とを覆うように設けられ、外縁領域から出力される映像を枠部側に拡大するように構成されている。スペーサ部材は、映像表示部および枠部と光学素子との間に設けられている。光学素子と映像表示部との間に位置するスペーサ部材の内側面には、光学素子側から映像表示部側に向かうにしたがって枠部側に傾斜する第１傾斜面が設けられている。
【図面の簡単な説明】
【０００６】
【図１】図１は、本実施形態による映像表示装置が複数組み合わされることにより構成されたタイリングディスプレイの一例を示した模式図である。
【図２】図２は、本実施形態による映像表示装置のリニアレンズ（光学素子）による映像の拡大方向を説明するための模式図である。
【図３】図３は、本実施形態による映像表示装置のサーキュラレンズ（光学素子）による映像の拡大方向を説明するための模式図である。
【図４】図４は、本実施形態による映像表示装置の表示部、枠部、光学素子およびスペーサ部材の位置関係を説明するための模式図である。
【図５】図５は、本実施形態による映像表示装置により出力される映像の見え方を説明するための模式図である。
【図６】図６は、本実施形態による映像表示装置から光学素子を取り外した状態の一例を示した模式図である。
【図７】図７は、本実施形態による映像表示装置の第１スペーサ部材の構成の一例を示した図である。
【図８】図８は、図７の５１−５１線に沿った断面図である。
【図９】図９は、図７の５２−５２線に沿った断面図である。
【図１０】図１０は、本実施形態による映像表示装置の第２スペーサ部材の構成の一例を示した図である。
【図１１】図１１は、図１０の５３−５３線に沿った断面図である。
【図１２】図１２は、図１０の５４−５４線に沿った断面図である。
【図１３】図１３は、本実施形態の変形例による映像表示装置が複数組み合わされることにより構成されたタイリングディスプレイの一例を示した模式図である。
【図１４】図１４は、本実施形態の変形例による映像表示装置の光学素子の一例を示した模式図である。
【発明を実施するための形態】
【０００７】
以下、実施形態を図面に基づいて説明する。
【０００８】
まず、図１〜図１２を参照して、本実施形態による映像表示装置１００が複数組み合わされることにより構成される映像表示システム（タイリングディスプレイ１０００）の構成の一例について説明する。
【０００９】
図１に示すように、本実施形態によるタイリングディスプレイ１０００は、４個の映像表示装置１００が水平方向（Ｘ方向）および上下方向（Ｙ方向）にそれぞれ２個ずつタイル状に並べて配置されることにより構成されている。これら４個の映像表示装置１００は、それぞれ、映像表示部１０と、枠部２０と、光学素子３０と、スペーサ部材４０とを備える。映像表示部１０は、Ｘ方向（第１方向）に延びる長辺（第１の辺）１０ａおよびＹ方向（第２方向）に延びる短辺（第２の辺）１０ｂを有する矩形形状（長方形形状）に形成されており、動画や静止画などの映像を出力可能に構成されている。また、枠部２０は、映像表示部１０の外周部（外縁部：長辺１０ａおよび短辺１０ｂにより構成される部分）を取り囲むように（図１の点状の網目部参照）、映像表示部１０の長辺１０ａおよび短辺１０ｂに沿って延びるように設けられている。これらの映像表示部１０および枠部２０によって、表示部（表示パネル）５０が構成されている。
【００１０】
ここで、上記のような映像表示部１０および枠部２０を備えた映像表示装置１００では、視聴者に枠部２０が見えるのを抑制したいという要望がある。たとえば、図１に示したようなタイリングディスプレイ１０００を用いて１個の大きな映像を表示する場合には、タイリングディスプレイ１０００の内側（各映像表示装置１００の境界部分）に位置する枠部２０により構成される十字形状の継ぎ目や、タイリングディスプレイ１０００全体の外側に位置する枠部２０により構成される矩形形状の外枠が視聴者に見えるのを抑制したいという要望がある。
【００１１】
そこで、本実施形態では、映像表示部１０内において外周部（外縁部：枠部２０との境界部分）側に位置する外周領域（外縁領域：後述する図５の縮小領域Ｒ２参照）と枠部２０とを覆う光学素子３０を設け、外周領域から出力される映像を光学素子３０により拡大することによって、視聴者に枠部２０が見えるのを抑制することにした。これにより、４個の映像表示装置１００により構成されたタイリングディスプレイ１０００が、つながりを有する１個のディスプレイとして機能する。すなわち、本実施形態では、映像表示部１０は、外周領域に、光学素子３０の拡大率に対応する縮小率で縮小された映像を出力するように構成されている。そして、光学素子３０は、映像表示部１０の外周領域から出力された映像（縮小映像）を少なくとも枠部２０側に拡大するように構成されている。
【００１２】
具体的には、光学素子３０は、映像表示部１０の４辺に沿って延びるように設けられた例えば長方形形状を有するリニアレンズ３１と、映像表示部１０の４隅に設けられた例えば長方形形状や正方形形状を有するサーキュラレンズ３２との組み合わせにより構成されている。リニアレンズ３１は、映像表示部１０の外周領域から出力される映像をＸ方向またはＹ方向の１方向（図２の矢印参照）にのみ拡大するように構成されている。また、サーキュラレンズ３２は、映像表示部１０の外周領域から出力される映像をＸ方向およびＹ方向の２方向（図３の矢印参照）に拡大するように構成されている。
【００１３】
詳細には、図２に示すように、リニアレンズ３１は、映像表示部１０の辺に沿って延びる光軸ｌ１を有し、外周領域から出力される映像を光軸ｌ１に対して線対称に拡大するように構成されている。なお、図２は、図１に示したタイリングディスプレイ１０００のＸ方向の一方側（図１では左側）で、かつ、Ｙ方向の中央部近傍に位置する矩形形状の部分１５１を拡大して示した模式図である。
【００１４】
また、図３に示すように、サーキュラレンズ３２は、隣接する２個のリニアレンズ３１にそれぞれ対応する２本の光軸ｌ１が交差する位置に中心Ｃを有し、外周領域から出力される映像を中心Ｃに対して点対称に拡大するように構成されている。なお、図３は、図１に示したタイリングディスプレイ１０００のＸ方向およびＹ方向の中央部近傍に位置する矩形形状の部分１５２を拡大して示した模式図である。
【００１５】
ここで、本実施形態では、光学素子３０（リニアレンズ３１およびサーキュラレンズ３２）は、映像表示部１０に対して平行に延びるように設けられている。より具体的には、リニアレンズ３１は、光軸ｌ１（図２参照）に対して線対称に分割されたフレネル形状のレンズにより構成されている。同様に、サーキュラレンズ３２は、中心Ｃ（図３参照）に対して点対称に（同心円状に）分割されたフレネル形状のレンズにより構成されている。このようなフレネル形状のレンズを光学素子３０として用いることによって、一例として、光学素子３０の厚みｄ１（図４参照）を通常の凸形状のレンズに比べて小さくすることができる。
【００１６】
また、本実施形態では、図４および図５に示すように、スペーサ部材４０は、映像表示部１０および枠部２０と光学素子３０との間に設けられている。このスペーサ部材４０は、映像表示部１０（枠部２０）と光学素子３０との間の距離を所定の距離に維持するために設けられている。なお、スペーサ部材４０は、透明材料により構成されている。
【００１７】
図４および図５に示すように、スペーサ部材４０の光学素子３０と映像表示部１０との間に位置する内側面（枠部２０とは反対側の面）には、光学素子３０側から映像表示部１０側に向かうにしたがって枠部２０側に傾斜する第１傾斜面４０ａが設けられている。ここで、本実施形態では、第１傾斜面４０ａは、スペーサ部材４０の内側面のうち光学素子３０側の端部（図５の点Ｑ１参照）から映像表示部１０側の端部（図５の点Ｑ２参照）まで直線状に延びるように設けられている。これにより、一例として、第１傾斜面４０ａがスペーサ部材４０の内側面の一部分にしか設けられていない場合に比べて、スペーサ部材４０の内側面の全体が傾斜するので、スペーサ部材４０の内側面が視聴者に視認されるのをより抑制することができる。
【００１８】
また、本実施形態では、第１傾斜面４０ａは、光学素子３０の枠部２０とは反対側（スペーサ部材４０の内側面側）の端部（図５の点Ｑ１参照）と、映像表示部１０の外周領域（図５の後述する縮小領域Ｒ２参照）の枠部２０とは反対側（スペーサ部材４０の内側面側）の端部（図５の点Ｑ２参照）とを結ぶ光路（図５の直線ｌ２参照）に一致するような傾斜角度θ１で傾斜するように設けられている。この傾斜角度θ１は、映像表示部１０および光学素子３０に直交する方向（前後方向：Ｚ方向：より具体的には、光学素子３０から映像表示部１０に向かう方向）に対する傾斜角度である。これにより、一例として、視聴者が上記直線ｌ２（図５参照）で示される光路に対応する視点から映像表示装置１００を見た場合でも、その視聴者の視線がスペーサ部材４０の内側面によって妨げられるのを抑制することができるので、視聴者に違和感を与えるのを抑制することができる。
【００１９】
ここで、図５を参照して、本実施形態による映像表示装置１００から出力される映像の見え方について説明する。図５に示すように、映像表示装置１００の映像表示部１０は、拡大も縮小もされていない通常の映像が出力される通常領域Ｒ１と、光学素子３０の拡大率に対応する縮小率で縮小された映像（縮小映像）が出力される縮小領域（外周領域）Ｒ２とを有する。なお、図５の二点鎖線は、光学素子３０を介して視聴者が視認する映像（虚像）を示している。
【００２０】
図５に示すように、光学素子３０（拡大率をｍとする）は、縮小領域Ｒ２から出力される縮小映像を、光学素子３０よりも大きい幅を有する虚像Ｖ１として拡大する。ここで、本実施形態では、縮小領域Ｒ２の幅（α＋β＋γ）は、光学素子３０の全体の長さｄ２よりも小さい。これにより、一例として、視聴者が光学素子３０の内側（枠部２０とは反対側）の端部に対して角度θ１だけ内側の視点Ｐ１から映像表示装置１００を覗き込んだ場合でも、その視聴者には縮小映像（縮小領域Ｒ２）ではなく通常の映像（通常領域Ｒ１）が視認されるので、視聴者に違和感を与えるのを抑制することができる。
【００２１】
また、本実施形態では、縮小領域Ｒ２に対応する虚像Ｖ１の幅（ｍ×（α＋β＋γ））は、光学素子３０の全体の長さｄ２よりも大きい。これにより、一例として、視聴者が光学素子３０の内側の端部に対して角度θ２だけ外側（枠部２０側）の視点Ｐ２から映像表示装置１００を見た場合でも、その視聴者には通常の映像（通常領域Ｒ１）が拡大された映像（虚像Ｖ２）ではなく縮小映像（縮小領域Ｒ２）が拡大された映像（虚像Ｖ１）が視認されるので、視聴者に違和感を与えるのを抑制することができる。
【００２２】
さらに、本実施形態では、虚像Ｖ１は、映像表示装置１００の外側（枠部２０側）の端部よりも外側にはみ出した領域Ｒ３を有する。そして、この領域Ｒ３に対応する縮小領域Ｒ２の一部の領域Ｒ４には、隣接する映像表示装置１００の枠部２０側の端部近傍に表示される映像と重複する映像（重複映像）が縮小された状態で出力されている。以下では、この領域Ｒ４を重複領域とよぶ。これにより、一例として、複数の映像表示装置１００により構成されたタイリングディスプレイ１０００（図１参照）を視聴者が見た場合でも、領域Ｒ３において重複映像を視認可能な分、映像表示装置１００の境界部分において視聴者に違和感を与えるのを抑制することができる。すなわち、一例として、視聴者が光学素子３０の外側の端部に対して角度θ３だけ内側（枠部２０とは反対側）の視点Ｐ３から映像表示装置１００を見た場合でも、視聴者に破綻のない映像を視認させることができる。
【００２３】
以下、視聴者に破綻のない映像を視認させるための光学系の一例について式を用いてより詳細に説明する。
【００２４】
まず、光学素子３０の拡大率ｍは、光学素子３０の光軸ｌ１に対して外側（枠部２０側）の部分の長さをｄ３とすると、縮小領域Ｒ２の光軸ｌ１に対して外側の領域のうち重複領域Ｒ４を含まない領域Ｒ５の長さβに基づいて、下記の式（１）で表される。
【００２５】
ｍ＝ｄ３／β…（１）
【００２６】
そして、枠部２０の幅をＷとし、重複領域Ｒ４の長さをαとすると、枠部２０を視聴者に視認させないようにする（光学素子３０を覆うような虚像Ｖ１を視聴者に視認させる）ための上記長さｄ３は、下記の式（２）で表される。
【００２７】
ｄ３＝β＋α＋Ｗ…（２）
【００２８】
この場合において、たとえばｄ３＝ｍ×βの条件を満たす場合には、少なくとも正面側（Ｚ方向の一方側：図５では上側）から見た場合に枠部２０が視認されない。また、本実施形態では、長さαの重複領域Ｒ４を設けることによって、一例として、光学素子３０の外側の端部に対して角度θ３だけ内側（枠部２０とは反対側）の視点Ｐ３まで、視聴者に破綻のない映像を視認させることができる。
【００２９】
また、光学素子３０の焦点距離をｆとすると、映像表示部１０と光学素子３０との間の距離Ａは、下記の式（３）で表される。
【００３０】
Ａ＝ｆ（（β／ｄ３）−１)＝ｆ（１／ｍ−１）…（３）
【００３１】
この時、虚像Ｖ１が視認される距離Ｂは、下記の式（４）で表される。
【００３２】
Ｂ＝Ａ（ｄ３／β）＝ｍ×Ａ…（４）
【００３３】
この場合において、重複領域Ｒ４が視認される角度θ３は、下記の式（５）で表される。
【００３４】
ｔａｎ（θ３）＝−（α／Ｂ）×（ｄ３／β）＝−（α／Ｂ）×ｍ…（５）
【００３５】
ここで、仮に、｜θ３｜＝|θ２｜＝｜θ１｜の条件を満足するようにした場合には、通常領域Ｒ１のうち、光学素子３０の背面に位置する部分の幅ａ１と、この幅ａ１を有する部分に隣接する部分の幅ａ２との関係は、下記の式（６）で表される。
【００３６】
｜ａ１｜=｜ａ２｜…（６）
【００３７】
そして、これらの幅ａ１およびａ２と、縮小領域Ｒ２の光軸ｌ１に対して内側（枠部２０とは反対側）の領域Ｒ６の長さγとの関係は、下記の式（７）で表される。
【００３８】
｜ｍ｜×γ＝γ＋ａ１＋｜ｍ｜×ａ２＝γ＋ａ１＋｜ｍ｜×ａ１…（７）
【００３９】
また、上記幅ａ１と、光学素子３０と映像表示部１０との距離Ａとの間には、下記の式（８）の関係が成立する。
【００４０】
｜ａ１｜＝｜Ａ｜×ｔａｎ｜θ１｜＝｜Ａ｜×ｔａｎ｜θ３｜…（８）
【００４１】
そして、上記の式（７）と式（８）とから、下記の式（９）が導き出される。
【００４２】
γ＝｜Ａ｜×ｔａｎ｜θ３｜×（１＋｜ｍ｜）／（｜ｍ｜−１）…（９）
【００４３】
上記の式（９）により、角度θ３（θ１、θ２）の視点Ｐ３（Ｐ１、Ｐ２）で映像表示装置１００を見た場合に視聴者に破綻の無い映像を視認させるための縮小領域Ｒ２の光軸ｌ１に対して内側の領域Ｒ６の長さγを計算することができる。
【００４４】
次に、スペーサ部材４０の第１傾斜面４０ａが視聴者に視認されるのを抑制することが可能な第１傾斜面４０ａの傾斜角度θ１についてより詳細に説明する。
【００４５】
一般に、ハイビジョンの放送規格は、１６：９のアスペクト比を有し、この１６：９のアスペクト比を有する映像が表示される映像表示装置では、視聴者と映像表示装置とは、映像表示装置の上下方向の幅の３倍の距離（いわゆる３Ｈの距離）だけ離れているのが標準的であるとされている。この場合、水平方向の画角は±約１６度となるとともに、上下方向の画角は±約９度となる。
【００４６】
したがって、本実施形態では、上記傾斜角度θ１を少なくとも９度以上に設定する必要がある。すなわち、フルハイビジョンの放送規格に則った視聴環境の場合では、上記傾斜角度θ１を少なくとも９度以上に設定すれば、視聴者が上下方向から角度をつけて映像表示部１０の映像を視聴した場合でも、スペーサ部材４０の内側面（第１傾斜面４０ａ）が視認されにくくなる。なお、本実施形態では、一例として、上記傾斜角度θ１を１６度以上に設定すれば、視聴者が水平方向から角度をつけて映像表示部１０の映像を視聴した場合も含めて、スペーサ部材４０の第１傾斜面４０ａが視聴者に視認されるのを抑制することができる。
【００４７】
次に、図６〜図１２を参照して、本実施形態による映像表示装置１００のスペーサ部材４０の詳細な構成（形状）の一例について説明する。
【００４８】
図６に示すように、スペーサ部材４０は、映像表示部１０を囲む枠部２０に対応する枠状に形成されている。また、スペーサ部材４０は、映像表示部１０の長辺１０ａに対応するように設けられた一対の第１スペーサ部材４１と、映像表示部１０の短辺１０ｂに対応するように設けられた一対の第２スペーサ部材４２とに分割可能に構成されている。このように構成すれば、一例として、スペーサ部材４０が一体の枠状の部材として設けられる場合と異なり、成形加工によって形成しやすい形状の第１スペーサ部材４１および第２スペーサ部材４２を用いて、容易に、スペーサ部材４０を枠状に構成することができる。
【００４９】
なお、図６および図７に示すように、第１スペーサ部材４１は、映像表示部１０の長辺１０ａの延びる方向（Ｘ方向）に沿って延びるように構成されている。また、図６および図１０に示すように、第２スペーサ部材４２は、映像表示部１０の短辺１０ｂの延びる方向（Ｙ方向）に沿って延びるように構成されている。ここで、第１スペーサ部材４１のＸ方向に沿った長さＷ２は、第２スペーサ部材４２のＹ方向に沿った長さＷ３よりも長くなるように設定されている。
【００５０】
また、図６および図８に示すように、スペーサ部材４０を構成する第１スペーサ部材４１の枠部２０とは反対側の内側面には、上記第１傾斜面４０ａとしての第１傾斜面４１ａが設けられている。また、図６および図１１に示すように、スペーサ部材４０を構成する第２スペーサ部材４２の枠部２０とは反対側の内側面にも、上記第１傾斜面４０ａとしての第１傾斜面４２ａが設けられている。
【００５１】
ここで、上記で説明したように、１６：９のアスペクト比を有する映像が表示される映像表示装置では、水平方向の画角は±約１６度となるとともに、上下方向の画角は、水平方向の画角よりも小さい±約９度となるのが標準的である。このため、本実施形態では、上下方向（Ｙ方向）の両側に設けられる第１スペーサ部材４１の第１傾斜面４１ａの傾斜角度θ１１（図８参照）は、水平方向（Ｘ方向）の両側に設けられる第２スペーサ部材４２の第１傾斜面４２ａの傾斜角度θ１２（図１１参照）よりも小さくなるように設定されている。
【００５２】
すなわち、本実施形態では、図８に示した第１傾斜面４１ａのＺ方向の両端部（点Ｑ１１およびＱ１２参照）間のＹ方向の幅ｄ４は、図１１に示した第１傾斜面４２ａのＺ方向の両端部（点Ｑ２１およびＱ２２参照）間のＸ方向の幅ｄ５よりも小さくなるように設定されている。上記で説明したように、視聴者が映像表示装置１００を見る際のＹ方向の視野角は、Ｘ方向の視野角よりも小さいので、このように設定すれば、一例として、第１スペーサ部材４１の第１傾斜面４１ａと第２スペーサ部材４２の第１傾斜面４２ａとが視聴者に視認されるのをより効果的に抑制することができる。
【００５３】
図６に示すように、第２スペーサ部材４２は、映像表示部１０および枠部２０の上端部と下端部とを覆うように、映像表示部１０および枠部２０の上端部と下端部との間でＹ方向に延びるように設けられている。また、第１スペーサ部材４１は、一対の第２スペーサ部材４２の間でＸ方向に延びるように設けられている。
【００５４】
ここで、図６、図７および図９に示すように、第１スペーサ部材４１の第２スペーサ部材４２側の両端部（Ｘ方向の両端部）には、第２スペーサ部材４２の第１傾斜面４２ａに対応する第２傾斜面４１ｂが設けられている。この第２傾斜面４１ｂは、第２スペーサ部材４２の第１傾斜面４２ａと等しい傾斜角度θ１２を有するように構成されている。このように構成すれば、一例として、第１スペーサ部材４１の端部に設けられた第２傾斜面４１ｂと、第２スペーサ部材４２の第１傾斜面４２ａとを互いに当接させることができるので、第１スペーサ部材４１と第２スペーサ部材４２とを隙間なく接続することができる。なお、本実施形態では、図６、図１０および図１２に示すように、第２スペーサ部材４２の両端部（Ｙ方向の両端部）には、上記第１スペーサ部材４１の第２傾斜面４１ｂのような傾斜面は設けられていない。
【００５５】
また、本実施形態では、映像表示部１０に出力される映像（図５に示した通常領域Ｒ１および縮小領域Ｒ２に出力される映像）と、光学素子３０により拡大されて表示される虚像（図５に示した虚像Ｖ１およびＶ２）とが互いに同一面上に位置するように、スペーサ部材４０の厚みが設定されている。
【００５６】
以下、スペーサ部材４０の厚みをＴとして、この厚みＴが満たす関係式について説明する。
【００５７】
上記の式（４）に示したように、光学素子３０の拡大率をｍとすると、虚像が視認される距離Ｂと、映像表示部１０と光学素子３０との間の距離Ａとの間には、下記の式（１０）が成立する。
【００５８】
Ｂ＝ｍ×Ａ…（１０）
【００５９】
また、スペーサ部材４０の屈折率をｎとすると、スペーサ部材４０の厚みＴは、上記の距離Ａに基づいて、下記の式（１１）で表される。
【００６０】
Ｔ＝ｎ×Ａ…（１１）
【００６１】
上記の式（１０）および（１１）により、光学素子３０の拡大率ｍと、スペーサ部材４０の屈折率ｎとが互いに等しい場合に、虚像が視認される距離Ｂと、スペーサ部材４０の厚みＴとが互いに等しくなる。つまり、映像表示部１０に出力される映像と、光学素子３０により拡大されて表示される虚像とが互いに同一面上に位置することになる。
【００６２】
ここで、上記の式（３）により、映像表示部１０と光学素子３０との間の距離Ａは、光学素子３０の焦点距離ｆに基づいて、下記の式（１２）で表される。
【００６３】
Ａ＝ｆ（１／ｍ−１）…（１２）
【００６４】
そして、上記の式（１１）および（１２）により、スペーサ部材４０の厚みＴは、光学素子３０の焦点距離ｆに基づいて、下記の式（１３）で表される。
【００６５】
Ｔ＝ｎ×ｆ（１／ｍ−１）…（１３）
【００６６】
ここで、光学素子３０の拡大率ｍと、スペーサ部材４０の屈折率ｎとが互いに等しい場合には、上記の式（１３）は、下記の式（１４）に書き換えられる。
【００６７】
Ｔ＝ｆ（ｎ−１）…（１４）
【００６８】
上記の式（１４）を満足するようにスペーサ部材４０の厚みＴを設定すれば、一例として、映像表示部１０に出力される映像と、光学素子３０により拡大されて表示される虚像とが互いに同一面上に位置するようにすることができ、視聴者に破綻のない映像を違和感なく視認させることができる。
【００６９】
以上説明したように、本実施形態では、映像表示部１０（枠部２０）と光学素子３０との間にスペーサ部材４０が設けられており、スペーサ部材４０の光学素子３０と映像表示部１０との間に位置する内側面には、光学素子３０側から映像表示部１０側に向かうにしたがって枠部２０側に傾斜する第１傾斜面４０ａが設けられている。これにより、一例として、スペーサ部材４０の内側面に第１傾斜面４０ａが設けられている分、スペーサ部材４０が視聴者に視認されるのを抑制することができる。
【００７０】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【００７１】
たとえば、上記実施形態では、４個の映像表示装置により構成されたタイリングディスプレイに本発明を適用する例を示したが、本発明は、単体で使用する映像表示装置にも適用可能である。また、本発明は、２個以上３個以下の映像表示装置により構成されたタイリングディスプレイにも適用可能であるし、５個以上の映像表示装置により構成されたタイリングディスプレイにも適用可能である。
【００７２】
また、上記実施形態では、４個の映像表示装置の各々の４辺全てに対応するように光学素子を設ける例を示したが、他の実施形態として、図１３に示す変形例のように、４個の映像表示装置２００により構成されるタイリングディスプレイ２０００のうち、隣接する２個の映像表示装置２００の境界部分にのみ光学素子２３０を設けてもよい。この変形例では、タイリングディスプレイ２０００の内側の十字形状の部分に位置する枠部２０は視認されにくくなる一方、タイリングディスプレイ２０００の外側の矩形形状の部分に位置する枠部２０は視認されやすくなる。
【００７３】
また、上記実施形態では、光学素子とスペーサ部材とが互いに別個に形成された例を示したが、他の実施形態として、光学素子とスペーサ部材とが互いに一体的に形成されていてもよい。
【００７４】
また、上記実施形態では、スペーサ部材が第１スペーサ部材と第２スペーサ部材とに分割可能に構成された例を示したが、他の実施形態として、スペーサ部材が分割不可能な１個の部材により構成されていてもよい。
【００７５】
また、上記実施形態では、第１スペーサ部材の第１傾斜面の傾斜角度が第２スペーサ部材の第１傾斜面の傾斜角度よりも小さくなるように設定された例を示したが、他の実施形態として、第１スペーサ部材の第１傾斜面の傾斜角度と第２スペーサ部材の第１傾斜面の傾斜角度とが互いに等しくなるように設定されていてもよい。
【００７６】
また、上記実施形態では、第１スペーサ部材の端部に第２傾斜面を設け、この第２傾斜面と第２スペーサ部材の第１傾斜面とを当接させる例を示したが、他の実施形態として、第２スペーサ部材の端部に第２傾斜面を設け、この第２傾斜面と第１スペーサ部材の第１傾斜面とを当接させてもよい。
【００７７】
また、上記実施形態では、リニアレンズとサーキュラレンズとの組み合わせにより光学素子を構成する例を示したが、本発明では、これら以外の光学系を用いてもよい。
【００７８】
また、上記実施形態では、光軸に対して両側（枠部側および枠部とは反対側）に延びる光学素子を用いる例を示した、他の実施形態として、図１４に示した変形例のように、光軸ｌ１１に対して枠部２０とは反対側に延びる部分を有しない光学素子３３０を用いてもよい。
【００７９】
この図１４に示した変形例においても、上記実施形態と同様に、枠部２０と、縮小領域Ｒ１２に出力された縮小画像が光学素子３３０により拡大されて構成された虚像Ｖ１１とが互いにオーバーラップしているので、視聴者に枠部２０が視認されるのを抑制することができる。また、この変形例においても、上記実施形態と同様に、枠部２０とは反対側のスペーサ部材３４０の内側面が、枠部１０とは反対側の縮小領域Ｒ１２の端部（通常領域Ｒ１１との境界部分：点Ｑ３１参照）と、枠部２０とは反対側の光学素子３３０の端部（点Ｑ３２参照）とを結ぶ光路（直線ｌ１２参照）に一致するような傾斜面３４０ａにより構成されているので、視聴者にスペーサ部材３４０が視認されるのを抑制することができる。
【要約】
本発明の映像表示装置は、表示部と、光学素子（３０）と、スペーサ部材（４０）とを備える。表示部は、映像表示部（１０）と、枠部（２０）とを含む。スペーサ部材は、映像表示部および枠部と光学素子との間に設けられている。光学素子と映像表示部との間に位置するスペーサ部材の内側面には、光学素子側から映像表示部側に向かうにしたがって枠部側に傾斜する第１傾斜面（４０ａ）が設けられている。【図１】
0005653538.tif 000002
【図２】
0005653538.tif 000003
【図３】
0005653538.tif 000004
【図４】
0005653538.tif 000005
【図５】
0005653538.tif 000006
【図６】
0005653538.tif 000007
【図７】
0005653538.tif 000008
【図８】
0005653538.tif 000009
【図９】
0005653538.tif 000010
【図１０】
0005653538.tif 000011
【図１１】
0005653538.tif 000012
【図１２】
0005653538.tif 000013
【図１３】
0005653538.tif 000014
【図１４】
0005653538.tif 000015